(57)【要約】【課題】  テラスやバルコニーなどの床面に、床板材を止め具を用いずに、置き敷きしながら、隣接する床板材の隅部側面間を、係止片を介して連結するだけで、風による浮き上がり作用を解消できる安定した床面構造体を提供する。【解決手段】隣接する一対の床板材１の相対向する側面５の間を跨ぐ位置と、この一対の床板材１のうちの一方の床板材１と、その床板材の対角線上にある別の床板材１の隅部側面７の間とを、それぞれ両端に係止フック９を有する係止片８，１１により連結する。【選択図】  図１
2007291603.tif 000002
【特許請求の範囲】
【請求項１】
基枠上に床板を取付けた方形状の床板材を、側面が交互に隣接するように配列する床面構造体であって、隣接する一対の床板材の相対向する側面間を跨ぐ位置にあって、前記の相対向する両側面と直交する同じ向きの平行な側面における隅部側面間を、両端に係止フックを有する直状の係止片により連結し、前記一対の床板材のうちの、一方の床板材の側面と相対向する位置に、別の床板材を配置する時には、この床板材と、この床板材の対角線上に位置している床板材における隅部側面間を、両端に係止フックを有する湾曲状に折り曲げた係止片により連結することを特徴とする。
【請求項２】
床板材の隅部側面間を、直状及び湾曲状に折り曲げた係止片により連結するとともに、床板材の相対向する側面間に、嵌め合わされた状態で摺動することにより、継手の接触面間に摩擦力を生じる鉤形継手を設けた請求項１の床面構造体。
【請求項３】
基枠側面に設けられる嵌め合い形の鉤形継手が、基枠側面の鉤形継手突出面に、基枠の長さ方向に沿ったリブを有するとともに、基枠側面から前記リブの突出幅分を含む長さを備えたアームと、このアーム先端を折曲げたフックとを備え、このフック内側面と前記リブ外側面との間の空間内に、相対向する相手方継手のフックが上方から摺動可能な隙間が残るように落とし込まれて、フック相互が互いに係合されている請求項２の床面構造体。
【発明の詳細な説明】
【技術分野】
【０００１】
本発明は、建築物のテラスやバルコニーなどの表面に、基枠上へ床板を取付けることで形成された方形の床板材を、互いに連結するようにして置くだけの作業で、床面を構成することのできる床面構造体の改良に関するものである。
【背景技術】
【０００２】
従来よりこの種の床面構造体としては、方形状の基枠へ床板を取付けて構成した床板材の周辺に、雄雌形継手の係止体と受体とを交互に設けて、隣接するそれぞれの床板材を、係止体と受体とを連結させながら、床板材の全面と半面を選択的に接続することで、全体として配設できるようにした構造体が知られている。
【０００３】
また、この種の床面構造体は、主として、テラスやバルコニーなどの屋外に用いられる例が多いが、それぞれの床板材は、テラスやバルコニーなどの床表面に置き敷きされるだけで、床表面とは構造的に接続されていないために、強風時に、床板材の端面から裏面方向へ進入する風の力や、風が床板材上を吹き抜けるときに生ずる負圧力によって、個々の床板材が浮き上がって飛散するという問題がある。また、このような問題を防ぐために一部の床板材に風抜け用の開口部を設けるようにした構造であるとか、個々の床板材の周囲をロープにより連結するという構造も知られている。
【０００４】
【特許文献１】登録実用新案第３０５０９２０号公報
【特許文献２】特開平１１−５０６４４号公報
【発明の開示】
【発明が解決しようとする課題】
【０００５】
しかし、特許文献１に示される床面構造体は、隣接する各床板材を、周辺に設けられた雄雌形継手の係止体と受体とを連結することにより互いに接続するので、全ての床板材が置き敷かれた状態では、それぞれの床板材が一枚の面として構成され、全体が安定した構造として接続されているように見受けられる。
【０００６】
しかし、それぞれの床板材は、雄雌形継手の係止体と受体とが、それぞれ上下方向に落とし込まれることで接続されているだけで、テラスやバルコニーなどの床面とは構造的に接続されていないために、強風時に床板材の端面から裏面内へ進入する風の圧力や、風が床板材の上方を通過する際の負圧力によって、床板材が浮き上がるような力を受け、各床板材を接続している継手の係止体と受体とが、上下方向に移動することで連結状態が外れて、床板材の配列状態が崩れたり、飛散するという問題点を有している。
【０００７】
一方、特許文献２に示される床面構造体では、一部の床板材に風抜け用の開口部を設けるので、開口部にごみが詰まって、効果的な風抜け作用を期待することができなくなるという問題点を有している。
【０００８】
また、この床面構造体では、通常の床板材と風抜け用の開口部を設けた床板材とを接続する構造として、それぞれの床板材の裏面に連結部材を配置して、この連結部材の一端は通常の床板材の裏面に連結し、他端は風抜け用の開口部を設けた床板材の裏面に連結するので、床板材の置き敷き作業の際に、連結部材の一端は一方の床板材に連結できても、連結部材の他端は外側から見えない床板材の裏面に位置して、手暗がりとなるので、接続作業が行いにくいという問題点を有している。
【課題を解決するための手段】
【０００９】
本発明は、従来におけるこの種の床面構造体の問題点を解消するため、床板材をテラスやバルコニーなどの床表面に置き敷きする際に、互いに隣接する床板材の隅部側面間を係止片を介して連結することで、手暗がりのような作業しにくい状態とならずに、簡単な操作で全ての床板材を確実に連結できて、風による浮き上がり作用を的確に解消できるようにした床面構造体の提供を目的とする。
【００１０】
本発明はそのための具体的手段として、基枠上に床板を取付けた方形状の床板材を、側面を交互に隣接するように配列する床面構造体であって、隣接する一対の床板材の相対向する側面間を跨ぐ位置にあって、前記の相対向する両側面と直交する同じ向きの平行な側面における隅部側面間を、両端に係止フックを有する直状の係止片により連結し、前記一対の床板材のうちの、一方の床板材の側面と相対向する位置に、別の床板材を配置する時には、この床板材と、この床板材の対角線上に位置している床板材における隅部側面間を、両端に係止フックを有する湾曲状に折り曲げた係止片により連結することを特徴とする。
【００１１】
床板材は、それぞれの隅部側面間が、直状及び湾曲状に折り曲げた係止片により連結されるとともに、床板材の相対向する側面間に、嵌め合わされた状態で摺動することにより、継手の接触面間に摩擦力を生じる鉤形継手を設けるような構造が好ましい。
【００１２】
基枠側面に設けられる嵌め合い形の鉤形継手が、基枠側面の鉤形継手突出面に、基枠の長さ方向に沿ったリブを有するとともに、基枠側面から前記リブの突出幅分を含む長さを備えたアームと、このアームの先端を直角方向に折曲げたフックとを備え、このフック内側面と前記リブ外側面との間の空間内に、相対向する相手方継手のフックが、上方から摺動可能な隙間が残るように落とし込まれて、フック相互が互いに係合されているような構造であることが好ましい。
【発明の効果】
【００１３】
従来のこの種の床面構造体では、特許文献１に示されるように、それぞれの床板材の四つの側面を、雄雌形継手により連結する構造が一般的であったが、この雄雌形継手による連結は、一方の床板材の継手に他方の床板材の継手を上方から落とし込んで連結する方式なので、全ての床板材が互いに連結されたとしても、風の進入により床板材が浮き上がるような力を受けると、継手には上方への浮き上がり力を抑える手段がないために、床板材の連結が簡単に外れて接続構造が崩れてしまうという問題点があった。
【００１４】
このような問題に対し、本発明の床面構造体では、隣接する一対の床板材の相対向する側面間を跨ぐ位置と、この一対の床板材のうちの一方の床板材とその床板材の対角線上にある別の床板材の隅部側面間とを、それぞれ両端に係止フックを有する係止片により連結するので、隣接する各床板材の隅部側面が係止フックを介して互いにスクラムを組んだような形で連結されることになり、最終的に全ての床板材が接続された状態では、風の進入による床板材の浮き上がり現象のような上下方向への動きを抑えて、床板材が外れることのない強力な接続構造とすることができる。
【００１５】
また、本発明の床面構造体では、隣接するそれぞれの床板材の相対向する側面間を両端に係止フックを有する係止片により連結するので、先に配置された床板材の側面と、次に配置される床板材の側面とが手暗がりになることなく露呈されて、係止片の両端の係止フックを床板材の両側面に簡単に挿着することができ、さらに、互いに対角線上にある床板材の隅部側面間が、内側に湾曲する係止片により連結されるため、係止片が邪魔にならずに、次の床板材を隣接して配置することができ、置き敷き作業を能率よく行うことができる。
【発明を実施するための最良の形態】
【００１６】
本発明の床面構造体は、隣接する床板材の相対向する側面間を、両端に係止フックを有する係止片により連結する事を特徴とするが、実施に際しては、それぞれの床板材の四つの周側面にそれぞれ雄雌形継手を設けて、隣接する各床板材を雄雌形継手により連結するとともに、隣接する床板材の相対向する側面間を両端に係止フックを有する係止片により連結することが好ましく、これによって、床板材裏面への風の進入や、通過風圧に伴う負圧力による床板材の浮き上がりを抑制できる、強力な床板材の接続構造とすることができる。
【実施例】
【００１７】
次に、本発明に係る床面構造体の構成を図面に示す実施例について説明すると、この床面構造体は、図１に示すように、プラスチック製の基枠２の上に、プラスチック製廃材等を原料として成形した床板３を取付けた、方形状の床板材１を床面４上に交互に隣接して配列する構造からなっている。
【００１８】
交互に隣接して配列される床板材１は、床面４上に一個の床板材１ａが配置された後に、この床板材１ａの隣に別の床板材１ｂを配置するが、その際、両床板材１ａ，１ｂの相対向する側面５ａ，５ｂ間を跨ぐ位置にあって、前記の相対向する両側面５ａ，５ｂと直交する同じ向きの平行な側面６ａ，６ｂにおける隅部側面７ａ，７ｂ間には、図４に示したような、両端に係止フック９を有する直状の係止片８が連結されている。
【００１９】
この直状の係止片８の両端に設けられる係止フック９は、先端にかえし９ａが設けられていて、この係止フック９が隅部側面７ａ，７ｂに開設された止め孔１０内へ挿着されると、この止め孔１０の裏側にかえし９ａが引っ掛かって強力な連結作用を得ることができる。
【００２０】
また、床板材１ａ，１ｂの配置に引きつづいて、前記一対の床板材１ａ，１ｂのうちの、一方の床板材１ａの側面６ａと相対向する位置に、別の床板材１ｃを配置する時には、この床板材１ｃと、この床板材１ｃの対角線上に位置している床板材１ｂにおける隅部側面７ｂ，７ｃ間に、両端に係止フック１２を有する湾曲状に折り曲げた係止片１１が連結される。
【００２１】
前記の直状の係止片８及び湾曲状に折り曲げた係止片１１は、ポリプロピレンあるいはナイロンなどのように、強靱で、かつ、自由に折り曲げられる合成樹脂により直状に成形されていて、床板材１ａ，１ｂにおける平行な側面６ａ，６ｂの隅部側面７ａ，７ｂ間を連結する際には、この係止片８が直状のままで使用される。
【００２２】
一方、床板材１ｃと、この床板材１ｃの対角線上に位置している床板材１ｂとの隅部側面７ｂ，７ｃ間を、係止片によって連結する際には、図５のように、両端の係止フック１２が９０度相違する方向へ向くように、係止片１１を湾曲状に折り曲げることによって使用する。なお、湾曲状に折り曲げた係止片１１は、連結の際に、直状の係止片８を折り曲げて使用する、ということに限定されることはなく、成形の段階で最初から湾曲状に成形されるようなものであってもよい。
【００２３】
図３で示すように、床板材１ｂと床板材１ｃに隣接する位置に、さらに次の床板材１ｄを連結する場合、床板材１ｂと床板材１ｃとの隅部７ｂ，７ｃには、既に直状係止片８と湾曲状係止片１１が連結されているので、床板材１ｄの隅部７ｄは、係止片を用いて床板材１ｂと床板材１ｃの隅部７ｂ，７ｃに連結することができない。
【００２４】
しかし、この床板材１ｄにおける隅部７ｄ以外の隅部、例えば隅部７ｅは、床板材１ｃの隅部７ｆと連結され、床板材１ｄの隅部７ｇは、床板材１ｄと対角線上に配置された床板材１ｅの隅部７ｈと連結されているので、三個の隅部が係止片により連結されてさえいれば、一個の隅部が係止片により連結されていなくても、風による浮き上がり力を的確に抑えることができ、相互の連結が外れるという心配はない。
【００２５】
図６は、床板材１の側面に対称形の鉤形継手１３、２３を設けて、各床板材１の接続を鉤形継手１３、２３による連結と、前記の隅部側面における係止片８，１１の連結とを併用することにより、全体としての接続がさらに強化できるような構造を示している。
【００２６】
この実施例で示した嵌め合い形の鉤形継手１３、２３は、図７、図９に示すように、基枠２の側面の鉤形継手突出面に、基枠２の長さ方向に沿ったリブ１４、２４を有するとともに、基枠２の側面から前記リブ１４、２４の突出幅分Ｈを含む長さを備えたアーム１５、２５と、このアーム１５、２５の先端を折曲げて設けたフック１６、２６とを備え、このフック１６、２６の内側面と前記リブ１４、２４の外側面との間の空間内に、相対向する対称形状の相手方継手のフック１６、２６が上方から摺動可能な隙間３０が残るように落とし込まれて、フック１６、２６が互いに係合されている
【００２７】
図１に示すように、床板材１の隅部側面を係止片８，１１により連結する構造に、床板材１の側面を鉤形継手１３、２３により連結する構造を併設すると、鉤形継手１３、２３では、例えば、図９ａに示すように、床板材１ａのフック１６の内側面と、床板材１ｂのフック２６の内側面とが接触して係合している。
【００２８】
この状態で、床板材１ａが矢印方向からの風力を受けると、図９ｂのように、床板材１ａのアーム１５の外側面が床板材１ｂのリブ２４と接触して上方へ押し上げられるとともに、床板材１ｂのフック２６の外側面も床板材１ａのリブ１４と接触して上方へ押し上げられることにより、接触面に大きな摩擦力が発生し、床板材１の隅部側面を係止片８，１１により連結する構造の作用と相俟って、床板材１の風による浮き上がり力をきわめて効率的に抑制することができる。
【産業上の利用可能性】
【００２９】
この発明の床面構造体は、床板材をテラスやバルコニーなどの床表面に、止め具を用いずに、直接置き敷きしながら、互いに隣接する床板材の隅部側面間を、係止片を介して連結するだけで、手暗がりになるようなこともなく作業を進めることができるので、素人でも全ての床板材を簡単、かつ、確実に接続できて、風による浮き上がり作用を的確に解消でき、従来のこの種の床面構造体に比較してはるかに経済的で、利用可能性の高いものとすることができる。
【図面の簡単な説明】
【００３０】
【図１】本発明に係る床面構造体の構成を示す斜視図。
【図２】この床面構造体の構成を示す部分側面図。
【図３】この床面構造体の接続展開時の形状を示す部分平面図。
【図４】床面構造体の連結に用いられる直状係止片の斜視図。
【図５】同じく床面構造体の連結に用いられる湾曲状係止片の平面図。
【図６】床板材に鉤形継手を併用した場合の形状を示す部分平面図。
【図７】図６に示した床板材の四隅部分の構成を拡大した平面図。
【図８】床板材に設けられる鉤形継手の形状を示す斜視図。
【図９】床板材に風力が作用したときの鉤形継手の動きを説明する断面図。
【符号の説明】
【００３１】
１：床板材、
２：基枠、
３：床板、
４：床面、
５：側面、
６：側面、
７：隅部側面、
８：直状係止片、
９：係止フック、
１０：止め孔、
１１：湾曲状係止片、
１２：係止フック、
１３、２３：鉤形継手、
１４、２４：リブ、
１５、２５：アーム、
１６、２６：フック、
３０：隙間
【図１】
2007291603.tif 000003
【図２】
2007291603.tif 000004
【図３】
2007291603.tif 000005
【図４】
2007291603.tif 000006
【図５】
2007291603.tif 000007
【図６】
2007291603.tif 000008
【図７】
2007291603.tif 000009
【図８】
2007291603.tif 000010
【図９】
2007291603.tif 000011